(57)【特許請求の範囲】
【請求項１】
通話を行う複数の子機と、これら子機と電話回線とを交換接続する主装置とからなり、
前記子機は、主装置から配信された文字情報を表示する表示部を備え、
前記主装置は、無線放送されている任意の番組を受信する受信手段と、この受信手段で受信された番組の文字情報を子機に配信する配信手段とを備え、
前記配信手段は、子機が通話状態である場合に、その子機の通話相手に対して予め設定されている番組の文字情報をその子機に配信することを特徴とするボタン電話装置。
【請求項２】
請求項１記載のボタン電話装置において、
前記主装置は、着信時に交換機側から通知される発信者番号を検出する発信者番号検出手段をさらに備え、
前記配信手段は、前記通話相手に対応する番組として、発信者番号検出手段で検出された発信者番号に対して予め設定されている番組を選択し、その番組の文字情報を前記子機に配信することを特徴とするボタン電話装置。
【発明の詳細な説明】
【０００１】
【発明の属する技術分野】
本発明は、ボタン電話装置に関し、特に主装置から配信された文字情報を子機で表示する機能を有するボタン電話装置に関するものである。
【０００２】
【従来の技術】
一般に、ボタン電話装置の子機にＬＣＤなどからなるドットマトリクス型の表示部を設けて、数字だけでなくカナ文字や漢字などの文字情報を表示するようにしたものがある。
従来、このような表示部において、例えば、子機が未使用状態（アイドル状態）の場合には、カレンダーや時刻を表示し、子機が通話状態の場合には、通話時間の他に通話相手の名前などを表示するものとなっている。
【０００３】
【発明が解決しようとする課題】
しかしながら、このような従来のボタン電話装置における子機の表示部に表示される内容は、カレンダーや時刻あるいは通話相手の名前などという比較的情報量の少ない、しかもあまり変化しない情報のみである。したがって、せっかく表示部を子機に設けても、その表示部が有効に利用されておらず、利用者に対して多くの情報を提供していないという問題点があった。
本発明はこのような課題を解決するためのものであり、子機の表示部を有効利用して、利用者に多くの情報を提供できるボタン電話装置を提供することを目的としている。
【０００４】
【課題を解決するための手段】
このような目的を達成するために、本発明によるボタン電話装置は、電話回線を介して通話を行う複数の子機と、これら子機を収容するとともに前記電話回線を収容し子機と電話回線とを交換接続する主装置とからなり、子機に、主装置から配信された文字情報を表示する表示部を備えるとともに、主装置に、無線放送されている任意の番組を受信する受信手段と配信手段とを備え、受信手段で受信された番組の文字情報を主装置の配信手段から子機へ配信し、子機が通話状態である場合、その子機の通話相手に対して予め設定されている番組の文字情報をその子機に配信するようにしたものである。
【０００６】
主装置に、着信時に交換機側から通知される発信者番号を検出する発信者番号検出手段を備え、配信手段において、その通話相手に対応する番組として、発信者番号検出手段で検出された発信者番号に対して予め設定されている番組を選択し、その番組の文字情報をその子機に配信するようにしたものである。
【０００７】
【発明の実施の形態】
次に、本発明について図面を参照して説明する。
図１は本発明の一実施の形態であるボタン電話装置のブロック図である。
同図のボタン電話装置は、複数の子機（ボタン電話機）４１〜４Ｎと、内線伝送路３を介してこれら子機４１〜４Ｎを収容し、これら子機４１〜４Ｎと電話回線２とを交換接続する主装置とから構成されている。
【０００８】
主装置１において、１４は主装置１全体を制御する制御部、１１は電話回線２を終端制御する外線Ｉ／Ｆ（インターフェース）部、１３は内線伝送路３を介して子機４１〜４Ｎを収容する内線Ｉ／Ｆ部、１２は外線Ｉ／Ｆ部１１と内線Ｉ／Ｆ１３とを結ぶ通話路を制御部１４の制御に基づき交換接続するスイッチ、１５は着信時に交換機側から電話回線２を介して通知される発信者番号を検出し制御部１４に出力する発信者番号検出部、１７は制御部１４に接続されボタン電話装置全体の動作に必要な各種情報を記憶する記憶部である。
【０００９】
また、１６は制御部１４からの指示に基づき、文字放送などの無線放送を受信し、番組登録テーブル１６Ａに登録されている番組の文字情報をデータ蓄積部１６Ｂに格納する受信部、１４Ａは制御部１４内に設けられ、受信部１６で受信された文字情報を各子機４１〜４Ｎに配信する配信部である。
【００１０】
記憶部１７において、１７Ａは通話相手ごとに表示する番組を管理する相手先表示番組テーブル（相手先テーブル）、１７Ｂは子機４１〜４Ｎごとに未使用状態（アイドル状態）で表示する番組を管理するアイドル表示番組テーブル（アイドルテーブル）である。
【００１１】
一方、子機４１〜４Ｎは同様の構成をなしており、５１は内線伝送路３を介して主装置１の内線Ｉ／Ｆ部１３と音声情報や制御情報をやり取りする伝送Ｉ／Ｆ部、５２はハンドセットＨＳからの音声信号を音声情報に変換して伝送Ｉ／Ｆ部５１へ出力するとともに、伝送Ｉ／Ｆ部５１からの音声情報を音声信号に変換してハンドセットＨＳやスピーカＳＰへ出力する通話回路である。
【００１２】
また、５３は伝送Ｉ／Ｆ部５１を介して主装置１側と制御情報をやり取りすることにより子機全体を制御する子機制御部、５４は各種情報を表示するとともに、子機制御部５３で受信された制御情報に含まれる配信部１４Ａからの文字情報を表示する表示部、５５は各種キー操作を検出して子機制御部５３へ出力するキー入力部である。
【００１３】
まず、図２および図３を参照して、受信部１６の受信動作について説明する。図２は番組登録テーブルの構成例を示す説明図、図３は文字放送受信処理を示すフローチャートである。以下では、受信部１６において文字放送を受信する場合を例に説明するが、これに限定されるものではなく、文字情報を提供するものであれば、いずれの無線放送を受信するようにしてもよい。
【００１４】
受信部１６では、図２に示すような番組登録テーブル１６Ａを設け、配信部１４Ａからこの番組登録テーブルに登録された番組の文字情報を順次受信し、データ蓄積部１６Ｂに更新格納している。番組登録テーブル１６Ａには、番組を特定するチャネルと番組コードの組み合わせからなる番組番号ごとに、各番組の受信状況が管理されている。
【００１５】
図３に示すように、受信部１６では、まず、番組登録テーブルから次の処理対象となる番組番号を取得し（ステップ３１）、取得した番組番号の番組を受信開始する（ステップ３２）。ここで、その番組が正常受信できた場合は（ステップ３３：ＹＥＳ）、その受信信号を所定の文字情報に変換し（ステップ３４）、その文字情報をデータ蓄積部１６Ｂへ更新格納する（ステップ３５）。
【００１６】
通常、文字放送では１つの番組として１以上のページが巡回して放送されており、新たにページが受信されるごとに、データ蓄積部１６Ｂに格納されている対応番組のページが更新される。そして、番組登録テーブル１６Ａのうち対応する番組番号の受信状況として「正常」を設定し（ステップ３６）、ステップ３１へ戻って次の番組の受信処理を行う。
【００１７】
一方、ステップ３３において、選択した番組が放送停止中であったりその番組が存在しないために正常受信できなかった場合は（ステップ３３：ＮＯ）、番組登録テーブル１６Ａのうち対応する番組番号の受信状況として「エラー」を設定し（ステップ３７）、ステップ３１へ戻って次の番組の受信処理を行う。したがって、番組登録テーブル１６Ａを参照することにより各番組の受信状況が把握できるとともに、必要に応じてデータ蓄積部１６Ｂから受信中番組の最新の文字情報を得ることができる。
【００１８】
次に、図４を参照して、本発明の動作として文字情報を主装置１から子機４１に配信して表示する動作について説明する。図４は文字情報表示動作を示すシーケンス図である。
まず、交換機側から主装置１へ呼び出しがあった場合は、主装置１の外線Ｉ／Ｆ部１１においてその着信が検出されるとともに、交換機側から発信者番号が通知され（ステップ１００）、その発信者番号が発信者番号検出部１５で検出される。
【００１９】
これに応じて、主装置１の制御部１４は、内線Ｉ／Ｆ部１３および内線伝送路３を介して着信表示を指示する制御情報を子機４１へ送信する（ステップ１０１）。子機４１の子機制御部５３は、その制御情報を伝送Ｉ／Ｆ部５１を介して受信し、スピーカＳＰから着信音を出力して呼び出しを行うとともに、その制御情報に格納されている表示情報に基づき表示部５４で所定の着信表示を行う。
ここで、利用者により子機４１で応答操作が行われた場合、子機制御部５３は応答を通知する制御情報を伝送Ｉ／Ｆ部５１および内線伝送路３を介して主装置１へ送信する（ステップ１０２）。
【００２０】
主装置１の制御部１４では、内線Ｉ／Ｆ部１３を介してその制御情報を受信し、その応答通知に応じて外線Ｉ／Ｆ部１１を制御して着信中の電話回線２を捕捉して着信応答するとともに、スイッチ１２および内線Ｉ／Ｆ部１３を制御してその電話回線２と子機４１への内線伝送路３とを接続する。これにより、発信側と子機４１との間を結ぶ通話路が形成され、通話が開始される（ステップ１０３）。
そして、制御部１４から、例えば発信者番号検出部１５で検出され発信者番号あるいはその番号に対応する名前や通話時間経過などの通話情報の表示を指示する制御情報を子機４１へ送信し（ステップ１０４）、これを受信した子機４１の子機制御部５３は、表示部５４にその通話情報を表示する。
【００２１】
その後、通話中に子機４１で表示切替操作が行われた場合は、表示切替要求を示す制御情報が主装置１へ送信される（ステップ１１０）。この表示切替要求に応じて、制御部１４の配信部１４Ａは、現在、子機４１の表示部５４で通話情報が表示されていることから、文字放送の表示への切替要求であると判断し、対応する文字情報の配信処理を開始する。
【００２２】
配信部１４Ａは、まず、子機４１の通話相手の電話番号、この場合は交換機側から通知された発信者番号に基づき、相手先表示番組テーブル１７Ａを参照し、その通話相手に対応する番組番号を取得する。
図５は相手先表示番組テーブルの構成例を示す説明図であり、ここでは相手先の電話番号に対応してそれぞれ表示すべき番組番号が予め登録されている。
【００２３】
ここで、通話相手の電話番号に対応する番組番号を相手先表示番組テーブル１７Ａに登録されている場合、配信部１４Ａは受信部１６の番組登録テーブル１６Ａを参照して、その番組番号の受信状況を確認するとともに（ステップ１１１）、文字情報を受信中である旨の表示を指示する制御情報を子機４１へ送信し（ステップ１１２）、子機４１の表示部５４で文字情報受信中を表示する。
【００２４】
受信部１６では、前述した文字情報受信処理（図３参照）に基づき受信動作が行われており、要求された番組がすでに正常受信されてその文字情報がデータ蓄積部１６Ｂに格納されている場合、その文字情報が配信部１４Ａへ読み出される（ステップ１１３）。また、番組登録テーブル１６Ａに所望の番組番号が登録されていない場合、配信部１４Ａはその番組を直ちに番組登録テーブル１６Ａへ登録し、その番組の受信を開始させ、その後、受信された文字情報を読み出す（ステップ１１３）。
【００２５】
これにより、配信部１４Ａは、受信部１６から通話相手に対応する文字情報を取得し、その文字情報の表示を指示する制御情報を子機４１へ送信し（ステップ１１４）、子機４１の表示部５４でその文字情報を表示する。
一方、文字情報表示中に子機４１から表示切替が要求された場合は（ステップ１１５）、配信部１４Ａにおいて通話状態を示す通話情報を選択して、この表示を指示する制御情報を子機４１へ送信し（ステップ１１６）、子機４１の表示部５４でその通話情報を表示する。
【００２６】
このように、本発明では、主装置１に受信部１６を設けて無線放送で提供される文字情報を受信し、通話中の子機４１からの表示要求に応じて、主装置１から子機４１へ文字情報を配信し、子機４１の表示部５４で表示するようにしたので、従来のように通話経過時間などを更新表示する場合と比較して子機の表示部が有効利用され、利用者に多くの情報が提供される。
【００２７】
また、通話中の子機４１からの表示切替要求に応じて、主装置１から子機４１へ文字情報または通話情報を切り替えて配信し、子機４１の表示部５４で表示するようにしたので、極めて簡単な操作で利用者の意図に応じた情報を子機４１で表示することができる。
【００２８】
さらに、通話相手に対応する番組番号を予め相手先表示番号テーブル１７Ａに登録しておき、通話中の子機４１からの表示要求に応じて、主装置１から子機４１へその通話相手に対応する文字情報を配信し、子機４１の表示部５４で表示するようにしたので、所定の通話相手との話題に適当な番組の文字情報を、その通話中に自動的に選択して表示することができる。
【００２９】
以上の説明では、着信時に交換機側から通知された発信者番号に基づき、表示する番組が選択される場合について説明したが、これに限定されるものではない。例えば、子機４１から所望の相手先に発信した場合は、その発信時に短縮ダイヤルやリダイヤルなどのメモリダイヤル、あるいはダイヤル入力により、交換機側へ送出した相手先電話番号に対応する番組の文字情報を表示してもよく、着信時だけでなく発信時にも本発明を適用できる。
【００３０】
また、電話回線を用いた外線通話だけではなく、子機４１〜４Ｎ相互間で行われる内線通話の場合にも適用できる。例えば、図５に示すように、相手先表示番組テーブル１７Ａの登録電話番号として、子機４１〜４Ｎの内線番号を登録し、その内線番号に対応する番組番号を登録しておけばよい。これにより、内線通話であっても、その通話相手に対応する番組の文字情報を表示できる。
【００３１】
一方、通話中に子機４１で所望の番組が選択入力された場合は、子機４１から主装置１へ表示番組要求を示す制御情報が送信される（ステップ１２０）。これに応じて、配信部１４Ａは受信部１６の番組登録テーブル１６Ａを参照して、その番組番号の受信状況を確認するとともに（ステップ１２１）、文字情報を受信中である旨の表示を指示する制御情報を子機４１へ送信し（ステップ１２２）、子機４１の表示部５４で文字情報受信中を表示する。
【００３２】
受信部１６では、前述した文字情報受信処理（図３参照）に基づき受信動作が行われており、要求された番組がすでに正常受信されてその文字情報がデータ蓄積部１６Ｂに格納されている場合、その文字情報が配信部１４Ａへ読み出される（ステップ１２３）。また、番組登録テーブル１６Ａに所望の番組番号が登録されていない場合、配信部１４Ａはその番組を直ちに番組登録テーブル１６Ａへ登録し、その番組の受信を開始させ、その後、受信された文字情報を読み出す（ステップ１２３）。
【００３３】
これにより、配信部１４Ａは、子機４１から指定された文字情報を受信部１６から取得し、その文字情報の表示を指示する制御情報を子機４１へ送信し（ステップ１２４）、子機４１の表示部５４でその文字情報を表示する。
このように、子機４１からの番組表示要求に応じて、その要求により指定された番組の文字情報を配信部１４Ａからその子機４１に配信し、表示部５４で表示するようにしたので、利用者が所望する文字情報を配信することができ、通話相手との話題に最適な情報を容易に得ることができる。
【００３４】
また、番組登録テーブル１６Ａにおいて、要求された番組が正常に受信できずその受信状況として「エラー」を確認した場合（ステップ１２５）、配信部１４Ａで指定された番組の文字情報がないことを示す表示を指示する制御情報を子機４１へ送信し（ステップ１２６）、子機４１の表示部５４で文字情報なしを表示する。そして、直前に子機４１で表示していた表示情報を再度送信し（ステップ１２７）、子機４１の表示部５４で表示する。これにより、指定された番組の文字情報が取得できなかった場合は、表示番組要求をした時点の表示内容が改めて表示される。
【００３５】
また、通話中の子機４１で終話操作が行われた場合、子機４１から主装置１へ終話指示を示す制御情報が送信される（ステップ１３０）。これに応じて、制御部１４は外線Ｉ／Ｆ部１１を制御して通話中の電話回線を切断するとともに、スイッチ１２を制御して子機４１との通話路を解放して、通話終了とし（ステップ１３１）、子機４１へ終話を示す制御情報を送信し（ステップ１３２）、子機４１の表示部５４で通話料金や通話時間などの終話情報を表示する。
【００３６】
その後、制御部１４は、未使用状態（アイドル状態）における一般的な表示内容として、カレンダー情報や時刻情報などのアイドル表示を指示する制御情報を送信し（ステップ１４３）、子機４１の表示部５４でこれら情報を表示する。そして、子機４１において、未使用状態が所定期間以上継続した場合、制御部１４は記憶部１７のアイドル表示番組テーブル１７Ｂを参照し、未使用状態で表示すべき番組番号が設定されているかどうか検査する。
【００３７】
図６はアイドル表示番組テーブルの構成例を示す説明図であり、ここでは各子機のうち未使用状態で所望の番組を表示させたい子機の内線番号ごとに、その子機で表示させたい番組の番組番号を対応させて登録してある。
したがって、このアイドル表示番組テーブル１７Ｂにおいて、子機４１が未使用状態のとき表示すべき番組番号が設定されている場合、配信部１４Ａは配信部１４Ａは受信部１６の番組登録テーブル１６Ａを参照して、その番組番号の受信状況を確認する（ステップ１４０）。
【００３８】
ここで、要求された番組がすでに正常受信されてその文字情報がデータ蓄積部１６Ｂに格納されている場合、その文字情報を配信部１４Ａが読み出す（ステップ１４１）。そして、その文字情報の表示を指示する制御情報を子機４１へ送信し（ステップ１４２）、子機４１の表示部５４でその文字情報を表示する。
この場合、図６に示すように、各子機共通の番組を登録しておき、各子機共通でその番組を表示するようにしてもよく、また個別の番組が登録されていない子機について共通で登録されている番組を表示するようにしてもよい。
【００３９】
このように、子機４１が未使用状態である場合、あるいは未使用状態が所定期間継続した場合に、その子機４１に対して予め設定されている番組の文字情報をその子機４１に配信するようにしたので、子機４１の未使用期間においてもその表示部から所望の文字情報を提供でき、子機の表示部を有効利用して、利用者に多くの情報を提供できる。
【００４０】
なお、以上の説明では、受信部１６として、番組登録テーブル１６Ａとデータ格納部１６Ｂを有し、複数の番組を順次受信して更新格納する場合について説明したが、これに限定されるものではなく、配信部１４Ａから要求された番組の文字情報を受信して出力するものであれば、いずれの構成であっても本発明で用いることができる。
【００４１】
また、本発明の実施の形態では、内線伝送路３を介して複数の子機４１〜４Ｎが主装置１に収容されているボタン電話装置を例として説明したが、他の構成のボタン電話装置にも本発明を適用でき、前述と同様の作用効果が得られる。例えば、通話機能を有する親機と子機からなる小規模なボタン電話装置では、親機に受信部１６を設ければよい。内線伝送路３として有線ではなく無線回線が用いられているコードレスボタン電話装置についても本発明を適用できる。
【００４２】
【発明の効果】
以上説明したように、本発明は、主装置から配信された文字情報を表示する表示部を子機に設けるとともに、無線放送されている任意の番組を受信し得られた文字情報を出力する受信手段を主装置に設け、この受信手段で受信された番組の文字情報を主装置から子機に配信するものとし、その際、子機が通話状態である場合に、その子機の通話相手に対して予め設定されている番組の文字情報をその子機に配信し、あるいは着信時に発信者番号検出手段で検出された発信者番号に対して予め設定されている番組の文字情報を子機に配信するようにしたので、従来のように通話経過時間などを更新表示する場合と比較して子機の表示部を有効利用でき、利用者に多くの情報を提供できる。
【図面の簡単な説明】
【図１】本発明の一実施の形態によるボタン電話装置のブロック図である。
【図２】番組登録テーブルの構成例を示す説明図である。
【図３】文字放送受信処理を示すフローチャートである。
【図４】文字情報表示動作を示すシーケンス図である。
【図５】相手先表示番組テーブルの構成例を示す説明図である。
【図６】アイドル表示番組テーブルの構成例を示す説明図である。
【符号の説明】
１…主装置、１１…外線Ｉ／Ｆ部、１２…スイッチ、１３…内線Ｉ／Ｆ部、１４…制御部、１４Ａ…配信部、１５…発信者番号検出部、１６…受信部、１６Ａ…番組登録テーブル、１６Ｂ…データ蓄積部、１７…記憶部、１７Ａ…相手先表示番組テーブル、１７Ｂ…アイドル表示番組テーブル、２…電話回線、３…内線伝送路、４１〜４Ｎ…子機、５１…伝送Ｉ／Ｆ部、５２…通話回路、５３…子機制御部、５４…表示部、５５…キー入力部。
【図１】
0003541743.tif 000002
【図２】
0003541743.tif 000003
【図３】
0003541743.tif 000004
【図４】
0003541743.tif 000005
【図５】
0003541743.tif 000006
【図６】
0003541743.tif 000007